(57)【特許請求の範囲】
【請求項１】
複数のプラスチック細管がその長手方向に沿うウエッブによって連結して一体にプラスチックで成形され、該ウエッブの一部にプラスチック細管の長手方向に中央部で引き開くための切り込み部が設けられ、該複数のプラスチック細管の各々に合成性フェロモン液が封入され、各プラスチック細管の末端が融着されて封鎖されていることを特徴とする環状徐放性フェロモンディスペンサー。
【請求項２】
該切り込み部がプラスチック細管の長手方向と同一方向の溝であることを特徴とする請求項１に記載の環状徐放性フェロモンディスペンサー。
【請求項３】
該切り込み部がプラスチック細管の長手方向と同一方向のミシン目であることを特徴とする請求項１に記載の環状徐放性フェロモンディスペンサー。
【請求項４】
複数の有芯孔とその複数の有芯孔を結ぶスリットが設けられたダイを通してプラスチックを押出し、該スリットで成形されるウエッブにより連結する複数のプラスチック細管を連続的に成形した後、続いて該ウエッブの一部にプラスチック細管の長手方向と同一方向の切り込み部を設け、該複数のプラスチック細管の各々に合成性フェロモン液を封入してから、各プラスチック細管の末端を融着して封鎖することを特徴とする環状徐放性フェロモンディスペンサーの製造方法。
【請求項５】
前記各プラスチック細管の末端を、該プラスチック細管と同質なプラスチック材で挟んで、前記溶融して封鎖することを特徴とする請求項４に記載の環状徐放性フェロモンディスペンサーの製造方法。
【請求項６】
合成性フェロモン液が封入され、半弾性的に変形するプラスチック細管が複数並べられ、その末端部が融着されて互いに連結し、中央部は互いに独立して引き開くことにより環状の空間を形成する引き開かれた環状徐放性フェロモンディスペンサー；
および、複数のプラスチック細管がその長手方向に沿うウエッブによって連結して一体にプラスチックで成形され、該ウエッブの一部にプラスチック細管の長手方向に引き開くための切り込み部が設けられ、該複数のプラスチック細管の各々に合成性フェロモン液が封入され、各プラスチック細管の末端が封鎖されている引き開かれた環状徐放性フェロモンディスペンサー；
のいずれかを脱着するフックを両上端に有するワイヤの下端部が、棒の先端に取付られていることを特徴とする環状徐放性フェロモンディスペンサー設置具。
【発明の詳細な説明】
【０００１】
【発明の属する技術分野】
本発明は、害虫に交信攪乱させて害虫防除するため、合成性フェロモンを空気中に放散させる環状の徐放性フェロモンディスペンサーとその製造方法、並びにフェロモンディスペンサー設置具に関するものである。
【０００２】
【従来の技術】
交信攪乱による害虫の防除は、対象害虫の合成性フェロモンを大気中に放散させ、雌雄間の交信を攪乱させて交尾率を下げ、次世代の誕生を抑制することにより行われる。したがって、合成性フェロモンを放散させるためのフェロモンディスペンサーは、害虫の発生期間中（２〜６ヶ月）安定して合成性フェロモンを放散する性能が要求される。
【０００３】
すでに市販されているフェロモンディスペンサーは、例えばチューブタイプ、バッグタイプ、ボトルタイプ、スパイラルチューブタイプなどのプラスチック容器に合成性フェロモン液が封入され、容器の壁を拡散透過した合成性フェロモンが蒸気となって大気中に放散するようになっている。これらのフェロモンディスペンサーの中で、チューブタイプといわれているものは、プラスチックチューブ（細管）の容器が使用され、合成性フェロモンの蒸気を放散する期間が長く、放散速度も均一であるため、防除効果が他のタイプに比べ最も優れている。
【０００４】
フェロモンディスペンサーを使用するにあたっては、植物群の中に合成性フェロモンの蒸気をむらなく放散するように設置され、植物の生育に害や損傷を与えることなく、かつ長期間に亘って安定してその設置状態を保つ必要がある。
【０００５】
従来、このような要求を満たすチューブタイプのフェロモンディスペンサーとして、特公昭６１−１６３６１号公報、特公平２−６３０１７号公報には、チューブに沿ってアルミニウム等の金属線を並設させたもの、実開昭６２−１２２８０１号公報にはチューブを環に曲げたもの、実公昭６３−７２２号公報にはチューブを屈曲させたものが開示されている。
【０００６】
【発明が解決しようとする課題】
金属線を並設したフェロモンディスペンサーは、チューブが金属線とともに曲げられて優れた賦形性があるため、植物の枝や幹にかけたり巻き付けたりする設置作業が行いやすく、設置後も安定してその状態を保てるが、使用済みになった後の金属線の残存が問題となる。チューブ自体を曲げたり、リング形に成形したフェロモンディスペンサーは、成形加工にコストが著しくかかるばかりでなく、プラスチックの復元性により長期間のうちに曲がりが伸びて植物の枝等にかけたものが落下することもある。また、フェロモンディスペンサーを包装のために多数を並べようとしても並びが悪く嵩ばり、包装や流通のコストがかかる。
【０００７】
一方、フェロモンディスペンサーを設置する手間を省くため、１個あたりの合成性フェロモンの放散量を多くし、単位面積あたりの設置密度を少なくしたいという要求がある。フェロモンディスペンサーのチューブの容量を大きくして合成性フェロモン液の封入量を増やすことで設置密度を少なくできる。しかし、チューブの容量を大きくするために長くすると設置作業の障害になり、また包装や運搬が行いにくくなるため得策ではない。チューブの径を太くして合成性フェロモン液の封入量を増やすこともできるが、封入量に応じた合成性フェロモンの放散量を得るためにはチューブの壁厚を調整して拡散蒸発速度を高める必要がある。そのためチューブの成形加工が難しくなるうえ、チューブの可撓性が低下して曲げにくくなり、設置作業が困難になる。
【０００８】
本発明はこれらの課題を解決するためになされたもので、従来のチューブタイプのフェロモンディスペンサーの放散性能を損なうことなく、包装や運搬に便利な形状であって、設置作業が行いやすく、設置後も安定してその状態を保ち、使用済みになった後の処置にも困難がない徐放性フェロモンディスペンサーを提供することを目的とする。
【０００９】
また、このフェロモンディスペンサーから放出された気体の性フェロモンは空気より重く下方に拡散するため、性フェロモンを対象害虫が生息する空間に遍く浮遊させるには、フェロモンディスペンサーを植物の高所に設置する必要がある。本発明は、フェロモンディスペンサーを高所に容易かつ迅速に設置できる用具を提供することも目的とする。
【００１０】
【課題を解決するための手段】
前記の目的を達成するためになされた本発明を適用する環状徐放性フェロモンディスペンサーを、実施例に対応する図面を参照して以下に記載する。
【００１１】
図１に示す本発明の環状徐放性フェロモンディスペンサー１０は、合成性フェロモン液１が封入され、半弾性的に変形するプラスチック細管２ａおよび２ｂが複数並べられ、その末端部３が融着されて互いに連結し、中央部４（図２（Ｂ）参照）は互いに独立して引き開くことにより環状の空間を形成できる。なお、プラスチック細管は３本以上並べて環状徐放性フェロモンディスペンサーとすることもできる。
【００１２】
図５に示す本発明の別な環状徐放性フェロモンディスペンサー１０は、複数のプラスチック細管１２ａおよび１２ｂがその長手方向に沿うウエッブ１５によって連結して一体にプラスチックで成形され、ウエッブ１５の一部にプラスチック細管の長手方向に中央部で引き開くための切り込み部１４が設けられ、複数のプラスチック細管１２ａおよび１２ｂの各々に合成性フェロモン液１（図６参照）が封入され、各プラスチック細管１２ａおよび１２ｂの両末端１３が融着されて封鎖されていることを特徴とする。前記各プラスチック細管１２ａおよび１２ｂの末端１３を、該プラスチック細管１２ａおよび１２ｂと同質なプラスチック材で挟んで、前記溶融して封鎖してもよい。
【００１３】
この環状徐放性フェロモンディスペンサー１０の切り込み部１４は、図８に示すように、プラスチック細管１２ａおよび１２ｂの長手方向と同一方向の溝で形成して実施できる。
【００１４】
また、同じく切り込み部１４は、図９に示すように、プラスチック細管１２ａおよび１２ｂの長手方向と同一方向のミシン目で形成して実施することもできる。なお、プラスチック細管は３本以上並べて環状徐放性フェロモンディスペンサーとすることもできる。
【００１５】
本発明の環状徐放性フェロモンディスペンサー１０の製造方法は、図３に示すように、押し出し成形により連続成形した長尺のプラスチック細管２ａおよび２ｂに合成性フェロモン液を吸引し、該プラスチック細管２ａおよび２ｂを複数並べて連続的に曳き出しながら、定ピッチで加熱加圧融着し、その加熱加圧融着部分６を切断するものである。具体的には、定ピッチでプラスチック細管２ａおよび２ｂを機械的に引き取った後、プラスチック細管２ａおよび２ｂを０．１〜０．２ＭＰａの圧力で加圧し、２８〜３２μｍの超音波発振子で２００〜６００ｍｍｓｅｃ発振して融着して、切断する。
【００１６】
この製造方法で、図４に示すように、プラスチック細管２ａおよび２ｂと同質なプラスチック材７で加熱加圧融着部分６を挟んで、加熱加圧融着をしてもよい。
【００１７】
本発明の環状徐放性フェロモンディスペンサー１０の別な製造方法は、図７に示すように、複数の有芯孔２１および２２とその複数の有芯孔２１および２２を結ぶスリット２３が設けられたダイ２５を通してプラスチックを押出し、スリット２３で成形されるウエッブ１５により連結する複数のプラスチック細管１２ａおよび１２ｂを連続的に成形した後、続いてウエッブ１５の一部にプラスチック細管１２ａおよび１２ｂの長手方向と同一方向の切り込み部１４を設け、複数のプラスチック細管１２ａおよび１２ｂの各々に合成性フェロモン液１（図６参照）を封入してから、各プラスチック細管１２ａおよび１２ｂの末端１３を融着して封鎖することを特徴とする。
【００１８】
プラスチック細管２ａおよび２ｂ、１２ａおよび１２ｂ、ウエッブ１５の材質としては、例えば低密度ポリエチレン、高密度ポリエチレン、ポリプロピレン、エチレン−プロピレン共重合体、エチレン−酢酸ビニル共重合体、エチレン−アクリル酸エステル系共重合体、ポリ酢酸ビニル、ポリ塩化ビニル系樹脂、ポリスチレン、ポリアミド樹脂、ポリメチルメタクリレート、ポリカーボネート、ポリビニルアルコール、ポリ塩化ビニリデン、ポリブチレン、メチルメタクリレート−スチレン共重合体、メチルペンテン樹脂、アイオノマー、ポリアセタール、酢酸セルロース、セルロースアセテートブチレート、ポリフッ化ビニリデンおよびケイ素樹脂の熱可塑性プラスチックが挙げられる。また、シュウ酸、マロン酸、コハク酸、グルタル酸、アジピン酸、セバシン酸、フマル酸およびマレイン酸の中から選ばれる少なくとも一種類のジカルボン酸と、エチレングリコール、プロピレングリコール、ブタンジオール、ペンタンジオール、ヘキサンジオール、オクタンジオール、デカンジオールの中から選ばれる少なくとも一種類のポリオールとの縮重合体または乳酸、ヒドロキシ吉草酸、ヒドロキシカプロン酸およびヒドロキシカプリン酸の中から選ばれる少なくとも一種類の縮合重合体、またはポリカプロラクトンの脂肪族ポリエステル系の熱可塑性プラスチックを使用することもできる。加熱加圧融着部分６を挟むプラスチック材７は、これらのプラスチックの材質のなかからプラスチック細管に採用したのと同じ材質を採用することにより、融着が完全なものとなる。これらのプラスチックに、加工性を改良するため滑剤、可塑剤、安定剤、顔料、充填剤を添加してもよい。
【００１９】
上記材質のプラスチックを押し出し成形等の連続的な加工により、内径は０．４〜２ｍｍ、より好ましくは０．６〜１．６ｍｍであり、壁厚は０．２〜１．５ｍｍ、より好ましくは０．３〜０．８ｍｍの長尺なプラスチック細管が成形される。プラスチック細管２ａおよび２ｂ、１２ａおよび１２ｂの内径がこの範囲より細い細管は成形が困難である上、管内に合成性フェロモン液を吸引することも容易ではない。一方、内径がこの範囲より太い細管は、多量の合成性フェロモン液を吸収することが可能になるが、交信攪乱に必要な合成性フェロモンの量、環状徐放性フェロモンディスペンサーの設置密度を考慮すると過剰容量となり、合成性フェロモン液が無駄になってしまう。プラスチック細管２ａおよび２ｂ、１２ａおよび１２ｂの壁厚は、プラスチック材質の選択とともに、合成性フェロモンの拡散蒸発速度に影響する。前記の範囲よりも壁厚の薄いものは細管の成形が著しく困難である。前記の範囲より壁厚の厚いものは合成性フェロモンの拡散蒸発速度が遅くなりすぎ放散が抑制されすぎ、また細管の成形が困難である。
【００２０】
環状徐放性フェロモンディスペンサー１０の有効長Ｌは１００〜５００ｍｍであり、１００〜４００ｍｍのものがより好ましい。この範囲以下では中央部４および１６を引き開いてできる環状の径が小さすぎて植物の枝等に通す作業が行いにくくなり、逆にこの範囲以上では環状徐放性フェロモンディスペンサーが通常使用される圃場に栽培される植物を対象とするには長すぎて運搬が困難となり実用性が失われる。
【００２１】
環状徐放性フェロモンディスペンサー１０の末端部３、１３の融着された部分の長さは２〜１５ｍｍであり、３〜１０ｍｍが特に好ましい。この範囲以下であると、融着が不十分となり２本のプラスチック細管２ａおよび２ｂ、または２本のプラスチック細管１２ａおよび１２ｂが分離して植物の枝等に通してある環状徐放性フェロモンディスペンサー１０が落ちてしまうことがある。この範囲以上であることは融着の面からは必要以上の長さであり、却って全体長が長くなりすぎ、運搬等が行いにくくなる。なお、図４に示すように、プラスチック細管２ａおよび２ｂと同質なプラスチック材７で加熱加圧融着部分６を挟んで、加熱加圧融着したものは末端部３および１３の融着が強固なものとなる。
【００２２】
図７に示す、プラスチック細管１２ａおよび１２ｂをつなぐウエッブ１５は、厚みがプラスチック細管の外径の１／２倍〜１／２０倍であり、特に１／４倍〜１／１０倍であることが好ましく、巾が同じくプラスチック細管の外径の２倍〜１／５倍であり、特に１倍〜１／４倍であることが好ましい。厚すぎると、相対的にプラスチック細管１２ａおよび１２ｂの外周が大気に触れる表面積が減少し、合成性フェロモンの放散量が少なくなるとともに、経済性にも劣る。逆に薄すぎると、プラスチック細管同士が離れてしまい環状を形成しないという不都合が生じる。また、ウエッブ１５の巾は、大きすぎると無駄であるばかりでなく設置作業が行いにくくなるし、小さすぎると切り込み部１４をつくるための溝を切る加工、ミシン目を入れる加工が難しくなる。
【００２３】
本発明の環状徐放性のフェロモンディスペンサー設置具３７は、図１２に示すように、引き開かれた環状徐放性フェロモンディスペンサー１０（図１３参照）を脱着するフック３２を両上端に有するワイヤの下端部３８が棒３３の先端に取付られている。
【００２４】
ワイヤは、Ｙ字に屈曲して棒３３に連結されていることが好ましい。フック３２の形状は、らせん形、Ｕ字形またはＶ字形が好ましい。
【００２５】
ワイヤ３１およびフック３２は、適度な弾性と復元性、反撥力を有した素材であることが好ましい。具体的には、ピアノ線、合成樹脂製線、合成樹脂と金属線との複合線、金属線の中で前記性能を有するものから選択される。ワイヤの下端部３８は、適当な長さのＳＵＳ、合成樹脂、繊維強化プラスチック、金属のパイプもしくは竹や木の棒３３に取付られる。棒３３は、防除対象の植物の高さに応じて伸縮自在の延長棒３４に連結していてもよい。
【００２６】
なお、フック３２からワイヤの屈曲点３５までの長さは、設置する環状フェロモンディスペンサーの環周の１／６倍〜２／６倍で、Ｙ字形の角度は４０°〜１２０°であり特に６０°〜１００°の範囲が好ましい。この長さや角度が上記範囲から外れるとフェロモンディスペンサーは、環状に広がり難くなり、植物への設置が困難になる。
【００２７】
【発明の実施の形態】
本発明の環状徐放性フェロモンディスペンサーは、図３に示すように、押し出し成形等の連続的な加工により、無限長のプラスチック細管を連続成形する工程から始まって造られる。プラスチック細管２ａおよび２ｂは適当な長さに切断され、吸引ポンプで合成性フェロモン液が吸引され、リール５に巻かれる。プラスチック細管２ａおよび２ｂは、２本並列に並べられて連続的に曳き出され、加熱プレス器８により、所望の長さ、すなわちフェロモンディスペンサーの有効長Ｌ（図１参照）に合わせて融着され、２本がその部分で接合するとともに、管内が密閉される。次に、このように形成された加熱加圧融着部分６の中央をカッター９で切断することにより、図２に示す環状徐放性フェロモンディスペンサー１０が完成する。
【００２８】
本発明の別な環状徐放性フェロモンディスペンサーは、図７に示すように無限長の一体的なプラスチック細管１２ａおよび１２ｂを連続成形する工程から始まって造られる。溶融したプラスチックを、図示を省略する押し出し成形機のシリンダー２７に取り付けられたダイ２５を通して、ウエッブ１５を有する平行なプラスチック細管１２ａおよび１２ｂを押し出し、冷却した後、ウエッブ１５に刃２４で溝１４またはミシン目状の切り込みを入れてから、成形工程に合わせた無限長のまま巻き取りる。それを適当な長さに切断し、プラスチック細管１２ａおよび１２ｂに合成性フェロモン液１を吸い込んで充填した後、プラスチック細管１２ａおよび１２ｂを各々定寸で封じ、その封じた中央の位置をウエッブ１５とともに切り離す。
【００２９】
これにより図５に全体図、図６にその部分拡大断面図で示すような、合成性フェロモン液１が封入され末端１３が封鎖されている２本のプラスチック細管１２ａおよび１２ｂがウエッブ１５によって一体的に連結し、ウエッブ１５の中央部に切り込み部１４が設けられている環状徐放性フェロモンディスペンサー１０が完成する。
【００３０】
図２に示す環状徐放性フェロモンディスペンサー１０を例にしてその使用方法についてさらに詳細に説明する。フェロモンディスペンサー１０は、図１、図２に示すとおり、合成性フェロモン液１が封入されたプラスチック細管２ａおよび２ｂが２本並べられ、その末端部３（加熱加圧融着部分６に該当）が融着されて互いに連結し、中央部４は互いに独立している。プラスチック細管２ａおよび２ｂが半弾性的に変形する材質であるから、図２（Ｂ）に示すとおり中央部４を矢印のように外方に引き開くことにより環状の空間ができる。環状徐放性フェロモンディスペンサー設置具のフック３２にプラスチック細管２ａおよび２ｂを掛け、環状の空間に、図１０、図１１に示すように害虫を防除すべき栽培植物１８の幹や小枝、または支柱に通して、環状徐放性フェロモンディスペンサー１０は設置される。
【００３１】
この環状徐放性フェロモンディスペンサー１０は、合成性フェロモン液１が封入されたプラスチック細管２ａおよび２ｂが２本並べられているので、合成性フェロモンの拡散透過量が２倍になる。そのため、従来のフェロモンディスペンサーに較べて設置密度を１／２でき、設置作業の時間を短縮できる。
【００３２】
環状徐放性フェロモンディスペンサー１０の拡げられた環は弾性により復元しようとし、通されている小枝等を適度に抑え、栽培植物を痛めることなく、また生長を妨げることなく順応して変形し、長期間に亘って安定して設置状態を保つことができる。
【００３３】
このような設置状態で、環状徐放性フェロモンディスペンサーのプラスチック細管２ａおよび２ｂの壁を拡散透過した合成性フェロモンが蒸気となって大気中に徐々に放散することで、大気中の性フェロモンの濃度が上昇し、害虫の雌雄間の交信が攪乱され、次世代の誕生が抑制される。
【００３４】
図５に示す環状徐放性フェロモンディスペンサーは、図２に示すものと同様に用いられる。
【００３５】
次に、本発明の環状徐放性フェロモンディスペンサー設置具を、図１２〜１４に基づいて詳細に説明をする。
【００３６】
本発明の環状徐放性フェロモンディスペンサー設置具は、図１２に示すように、金属線のワイヤ３１が中点３５でＹ字型に屈曲し、ワイヤの両上端にフェロモンディスペンサーが脱着できるフック３２を有している。ワイヤの下端部３８は、棒３３の先端に熔着または結束して取付られている。棒３３は、伸縮自在な延長棒３４に連結されていてもよい。
【００３７】
前記徐放性フェロモンディスペンサー１０の切れ込みを開き環状とし（図２（Ｂ）参照）、図１３に示すように、環状徐放性フェロモンディスペンサー１０の２本のプラスチック細管２ａおよび２ｂを各々、フェロモンディスペンサー設置具のフック３２に掛ける。図１４に示すようにフェロモンディスペンサー１０の環状の空間に、枝３６を通す。設置具を下方に引くと、フェロモンディスペンサー１０は、フック部３２から外れ所定の位置に設置される。
【００３８】
ワイヤがＹ字に屈曲していると、環状徐放性フェロモンディスペンサーを樹の枝に通す際、フェロモンディスペンサーが植物の枝葉に触れてフック３２から外れることを防止できる。
【００３９】
本発明の設置具を用いることにより高所に容易に迅速に環状徐放性フェロモンディスペンサーを取付ることが出来るので害虫防除に要するコストが著しく低減される。
【００４０】
以下、本発明の実施例を詳細に説明するが、本発明はこれらにより限定されるものではない。
【００４１】
実施例１〜３は、本発明を適用する図２に示す環状徐放性フェロモンディスペンサーの実施例を示す。実施例４は、本発明を適用する図５に示す別な環状徐放性フェロモンディスペンサーの実施例を示す。比較例１〜５は本発明を適用外のフェロモンディスペンサーの例を示す。
【００４２】
実施例１
高密度ポリエチレンを押し出し成形し、内径０．８４ｍｍ、壁厚０．３５ｍｍのプラスチック細管２を作製した。このプラスチック細管２にハマキムシの合成性フェロモン液１を吸入した。このプラスチック細管２を２本並べ２０４ｍｍのピッチ間隔で長さ４ｍｍの金型８で加熱プレスして融着し、その融着部分６を切断して環状徐放性フェロモンディスペンサー１０を得た。この実施例１の環状徐放性フェロモンディスペンサーは、有効長Ｌ＝２００ｍｍで、全長２０４ｍｍである。封入されている合成性フェロモン液の量は、細管１本当たり約８０ｍｇであるから、細管２本で環状徐放性フェロモンディスペンサー１本当たり約１６０ｍｇである。
【００４３】
実施例２
合成性フェロモン液入りの２本のプラスチック細管を２０８ｍｍのピッチ間隔で長さ８ｍｍの金型で加熱プレスして融着した以外は実施例１と同一の手法で環状徐放性フェロモンディスペンサーを得た。この実施例２の環状徐放性フェロモンディスペンサーは、末端の融着部分の長さが４ｍｍであること、および全長２０８ｍであることを除き、実施例１の環状徐放性フェロモンディスペンサーと同一である。
【００４４】
実施例３
同様に末端の融着部分の長さが１０ｍｍ、全長２２０ｍｍであることを除き、実施例１と同一の環状徐放性フェロモンディスペンサーを得た。
【００４５】
比較例１
合成性フェロモン液入りの２本のプラスチック細管を２０１ｍｍのピッチ間隔で長さ１ｍｍの金型で加熱プレスして融着した以外は実施例１と同一の手法で環状徐放性フェロモンディスペンサーを得た。この比較例１の環状フェロモンディスペンサーは、末端の融着部分の長さが０．５ｍｍであること、および全長２０１ｍｍであることを除き、実施例１の環状徐放性フェロモンディスペンサーと同一である。
【００４６】
比較例２
同様に末端の融着部分の長さが１ｍｍ、全長２０２ｍｍであることを除き、実施例１と同一の環状徐放性フェロモンディスペンサーを得た。
【００４７】
比較例３
同様に末端の融着部分の長さが２０ｍｍ、全長２４０ｍｍであることを除き、実施例１と同一の環状徐放性フェロモンディスペンサーを得た。
【００４８】
比較例４
高密度ポリエチレンの押し出し成形により、内径０．８４ｍｍ、壁厚０．３５ｍｍのプラスチック細管に隣接してアルミニウム細線が並列している管を製造した。このプラスチック細管にハマキムシの合成性フェロモン液を吸入し、２０８ｍｍのピッチ間隔で長さ８ｍｍの金型で加熱プレスして融着し、その融着部分を切断してフェロモンディスペンサーを得た。この比較例４のフェロモンディスペンサーは、有効長Ｌ＝２００ｍｍで、末端の融着部分の長さが４ｍｍ、全長２０８ｍｍである。封入されている合成性フェロモン液の量は、約８０ｍｇである。
【００４９】
実験圃場として条件の近似した１ｈａのリンゴ園を８圃場を確保した。そのうちの６圃場に、実施例１〜３、および比較例１〜３の環状徐放性フェロモンディスペンサーを、地上２．５〜３．０ｍの高さに２５０本／ｈａ、目通りに５００本／ｈａの計７５０本／ｈａを均等に配置した。高所への設置は本発明の設置具を用いた。また、別の１圃場には、比較例４のフェロモンディスペンサーを、地上２．５〜３．０ｍの高さに５００本／ｈａ、目通りに１０００本／ｈａの計１５００本／ｈａを均等に配置した。高所への設置は本発明の設置具を用いた。さらに残りの１圃場には比較のためフェロモンディスペンサーを設置しなかった。なお、比較例４のフェロモンディスペンサーだけは、合成性フェロモン液の封入量を他の例の環状フェロモンディスペンサー１０と比べて半分にして、合成性フェロモンの放散量を同一にするため設置密度を倍にした。
【００５０】
実施例１〜３、および比較例１〜３の環状徐放性フェロモンディスペンサーの設置作業は、環状徐放性フェロモンディスペンサーの中央部を引き拡げて環状にし、図１１に示すようにリンゴの木の枝に環を通すことによって行った。比較例４のフェロモンディスペンサーの設置は、リンゴの木の枝に略逆Ｕ字形に曲げたフェロモンディスペンサーをかけ、一捻りすることによって行った。
【００５１】
フェロモンディスペンサーを設置してから２ヶ月後に、各圃場においてディスペンサーの落下率とハマキムシ類による被害率を調査した。被害率は各圃場より１０００葉をランダムに選び、ハマキムシによる食害が観察された葉数を％で表したものである。その結果を表１に示す。併せてフェロモンディスペンサーの設置作業に要した時間を記載する。
【００５２】
【表１】
0003676094.tif 000002
【００５３】
表１から明らかなように、実施例１（末端の融着部分の長さが２ｍｍ）、実施例２（同じく融着部分４ｍｍ）、実施例３（同じく融着部分１０ｍｍ）、比較例３（同じく融着部分２０ｍｍ）、および比較例４（アルミニウム細線入り）のフェロモンディスペンサーは、設置後に落下したものはなかった。防除効果が優れていた（被害率小さい）のは、実施例１、実施例２、実施例３、比較例３および比較例４のフェロモンディスペンサーである。実施例１〜３および比較例１〜３の環状徐放性フェロモンディスペンサーは比較例４より合成性フェロモン液の封入量が多く、設置本数を少なくしているめ、設置時間が短縮した。比較例３の環状徐放性フェロモンディスペンサーは、融着部分が２０ｍｍと大きくふくらんでいるため束や袋から取り出す際にこの部分が引っかかり、取り出しにくく、また環状徐放性フェロモンディスペンサー設置具への取り付けが良くないため、実施例に比べて設置時間が長くなった。
【００５４】
実施例４
高密度ポリエチレンを押し出し成形し、厚さ０．２５ｍｍ、巾１．５ｍｍのウエッブ１５で一体的に連結された各々の内径１．００ｍｍ、壁厚０．５ｍｍである２本のプラスチック細管１２ａおよび１２ｂを作製した。プラスチック細管１２ａおよび１２ｂを巻き取り機で巻き取る際、ウエッブ１５にミシン目状の回転刃２４を押し当て、ウエッブ１５にはミシン目１４が入れられた。各々のプラスチック細管１２ａおよび１２ｂにハマキムシの合成性フェロモンを吸入した後、プラスチック細管１２ａおよび１２ｂを２０ｃｍ間隔でプレス、超音波シールをして封鎖し、その封鎖部分を切断することによって、全長２０ｃｍの本発明の環状徐放性フェロモンディスペンサー１０を得た。この環状徐放性フェロモンディスペンサー１０を設置密度１５０本／１０ａの割合で１ｈａのリンゴ園に均等に設置した。設置作業は、ウエッブ１５のミシン目１４を引き裂くことによって、環状徐放性フェロモンディスペンサー１０を環状にし、図１１に示すようにリンゴの木の枝に環を通すことによって行った。
【００５５】
比較例５
実施例４との比較のため、内径１．００ｍｍ、壁厚０．５ｍｍのプラスチック細管とそのプラスチック細管に並べてアルミニウム線を封入して高密度ポリエチレンを押し出し成形し、チューブを作製した。このチューブにハマキムシの合成性フェロモンを吸入した全長２０ｃｍの従来のフェロモンディスペンサーを得た。この従来のフェロモンディスペンサーは、合成性フェロモンの封入量が本発明の環状徐放性フェロモンディスペンサー１０の半分になっているため、設置密度３００本／１０ａの割合で１ｈａのリンゴ園に均等に設置した。設置作業は、リンゴの木の枝に略逆Ｕ字形に曲げたフェロモンディスペンサーをかけ、一捻りすることによって行った。
【００５６】
その結果、実施例４に示す本発明の環状徐放性フェロモンディスペンサー１０は、設置密度が比較例５に示す従来のフェロモンディスペンサーに較べて１／２であるが、２本のプラスチック細管１２ａおよび１２ｂを有し合成性フェロモンの封入量が２倍であるため、実施例４の防除効果を示す被害率が比較例５と同等の１．４〜１．６％であった。実施例４の環状徐放性フェロモンディスペンサー１０は設置数が少ない上、設置作業が容易であるため、比較例５のフェロモンディスペンサーの設置作業の約半分以下の時間で終了した。
【００５７】
【発明の効果】
以上、説明したように本発明の環状徐放性フェロモンディスペンサーは、高い防除効果を示すとともに、設置作業がやりやすいだけではなく、設置状態を長時間安定に保ち、設置されている樹木を損傷することがない。さらに、包装や運搬に便利な直線の形状であり、金属線等を使用してないのでその回収作業も不要となる。また、本発明の製造方法により、環状徐放性フェロモンディスペンサーは均質なものが連続的に製造され、製造の合理化に役立つ。
【００５８】
本発明の環状徐放性フェロモンディスペンサー設置具を用いることにより、梯子や梯子車または専用フック等を使用することなく環状徐放性フェロモンディスペンサーを果樹等の高所に、容易かつ迅速に設置できるので防除作業時間が大巾に短縮でき、果樹などの生産コストの低減に繋がる。
【図面の簡単な説明】
【図１】本発明を適用する環状徐放性フェロモンディスペンサーの実施例の部分断面斜視図である。
【図２】本発明を適用する環状徐放性フェロモンディスペンサーの実施例の全体正面図である。
【図３】本発明を適用する環状徐放性フェロモンディスペンサーの製造途中を示す斜視図である。
【図４】本発明を適用する環状徐放性フェロモンディスペンサーの加熱加圧融着部分の製造途中を示す拡大斜視図である。
【図５】本発明を適用する別な環状徐放性フェロモンディスペンサーの実施例の全体正面図である。
【図６】本発明を適用する別な環状徐放性フェロモンディスペンサーの実施例の部分拡大断面図である。
【図７】本発明を適用する別な環状徐放性フェロモンディスペンサーのプラスチック細管を成形する実施例の部分斜視図である。
【図８】本発明を適用する環状徐放性フェロモンディスペンサーのウエッブの切り込み（溝）の実施例を示す斜視図である。
【図９】本発明を適用する環状徐放性フェロモンディスペンサーのウエッブの切り込み（ミシン目）の実施例を示す斜視図である。
【図１０】本発明を適用する環状徐放性フェロモンディスペンサーの使用状態の例を示す図である。
【図１１】本発明を適用する環状徐放性フェロモンディスペンサーの使用状態の別な例を示す図である。
【図１２】本発明の環状徐放性フェロモンディスペンサー設置具の要部を示す斜視図である。
【図１３】本発明の環状徐放性フェロモンディスペンサー設置具のフック部にフェロモンディスペンサーを取り付けた状態を示す要部斜視図である。
【図１４】本発明を適用する環状徐放性フェロモンディスペンサー設置具の使用状態の例を示す図である。
【符号の説明】
１は合成性フェロモン液、２ａ・２ｂはプラスチック細管、３は融着末端、４は中央部、５はリール、６は加熱加圧融着部分、７はプラスチック材、８は加熱プレス器、９はカッター、１０は環状徐放性フェロモンディスペンサー、１２ａ・１２ｂはプラスチック細管、１３は封鎖末端、１４は切り込み、１５はウエッブ、１６は中央部、１８は植物、２１・２２は有芯孔、２３はスリット、２４は刃、２５はダイ、２７はシリンダー、３１はワイヤ、３２はフック、３３は棒、３４は延長棒、３５は屈曲点、３６は植物の枝、３７は環状徐放性フェロモンディスペンサー設置具、３８は下端部、Ｌは有効長である。
【図１】
0003676094.tif 000003
【図２】
0003676094.tif 000004
【図３】
0003676094.tif 000005
【図４】
0003676094.tif 000006
【図５】
0003676094.tif 000007
【図６】
0003676094.tif 000008
【図７】
0003676094.tif 000009
【図８】
0003676094.tif 000010
【図９】
0003676094.tif 000011
【図１０】
0003676094.tif 000012
【図１１】
0003676094.tif 000013
【図１２】
0003676094.tif 000014
【図１３】
0003676094.tif 000015
【図１４】
0003676094.tif 000016